【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
ａ  所望の供給電圧を示す基準信号を生成する基準信号生成手段と、
ｂ  前記基準信号に基づいて、複数の供給電圧から１つの供給電圧を選択し、前記基準信号の下側をトラッキング可能な選択手段と、
ｃ  前記選択手段に選択された供給電圧を前記基準信号に基づいて調整し、前記基準信号をトラッキングする調整済み供給電圧を生成する調整手段と
を有することを特徴とする電圧供給ステージ。
【請求項２】
請求項１記載の電圧供給ステージにおいて、前記選択手段は、さらに、前記基準信号の上側をトラッキング可能であることを特徴とする電圧供給ステージ。
【請求項３】
請求項１又は２記載の電圧供給ステージにおいて、前記電圧供給ステージは増幅器用のものであり、前記基準信号は、増幅器の入力信号の包絡線を示すことを特徴とする電圧供給ステージ。
【請求項４】
請求項１〜３のいずれか１項に記載の電圧供給ステージにおいて、前記調整手段は、交流増幅器を備えることを特徴とする電圧供給ステージ。
【請求項５】
請求項４記載の電圧供給ステージにおいて、前記選択された供給電圧には、前記選択された供給電圧と前記基準信号のレベルとの差の最小絶対値が含まれることを特徴とする電圧供給ステージ。
【請求項６】
請求項４又は５記載の電圧供給ステージにおいて、前記交流増幅器は、前記基準信号と、前記選択された供給電圧の代表値との差を増幅するように接続されることを特徴とする電圧供給ステージ。
【請求項７】
請求項６記載の電圧供給ステージにおいて、前記調整手段は、前記交流増幅器により増幅された差を前記選択された供給電圧に加算する加算手段を有することを特徴とする電圧供給ステージ。
【請求項８】
請求項７記載の電圧供給ステージにおいて、前記選択された供給電圧の代表値は、前記選択された供給電圧そのものの値であることを特徴とする電圧供給ステージ。
【請求項９】
請求項７記載の電圧供給ステージにおいて、前記選択された供給電圧の代表値は、前記調整済み供給電圧とされることを特徴とする電圧供給ステージ。
【請求項１０】
請求項１〜９のいずれか１項に記載の電圧供給ステージにおいて、前記調整済み供給電圧は、前記電圧供給ステージの出力であることを特徴とする電圧供給ステージ。
【請求項１１】
請求項４〜９のいずれか１項に記載の電圧供給ステージにおいて、前記調整手段は、高周波増幅器をさらに有することを特徴とする電圧供給ステージ。
【請求項１２】
請求項１１記載の電圧供給ステージにおいて、前記高周波増幅器は、前記基準信号と、前記調整済み供給電圧の代表値との差を増幅するように接続されることを特徴とする電圧供給ステージ。
【請求項１３】
請求項１２記載の電圧供給ステージにおいて、前記調整手段は、前記高周波増幅器により増幅された差を前記調整済み供給電圧に加算し、さらに調整された供給電圧を生成する加算手段を有することを特徴とする電圧供給ステージ。
【請求項１４】
請求項１３記載の電圧供給ステージにおいて、前記調整済み供給電圧の代表値は、前記調整済み供給電圧そのものの値であることを特徴とする電圧供給ステージ。
【請求項１５】
請求項１３記載の電圧供給ステージにおいて、前記調整済み供給電圧の代表値は、前記さらに調整された供給電圧であることを特徴とする電圧供給ステージ。
【請求項１６】
請求項１３〜１５のいずれか１項に記載の電圧供給ステージにおいて、前記さらに調整された供給電圧は、前記電圧供給ステージの出力とされることを特徴とする電圧供給ステージ。
【請求項１７】
請求項１〜１６のいずれか１項に記載の電圧供給ステージにおいて、前記調整手段の入力側に配置され、前記選択された供給電圧を補間する補間手段がさらに設けられることを特徴とする電圧供給ステージ。
【請求項１８】
請求項１７記載の電圧供給ステージにおいて、前記補間手段は、インダクタ−キャパシタ構造を有することを特徴とする電圧供給ステージ。
【請求項１９】
請求項４〜１８のいずれか１項に記載の電圧供給ステージにおいて、前記交流増幅器に直流クランプ処理を行う直流クランプ手段がさらに設けられることを特徴とする電圧供給ステージ。
【請求項２０】
請求項１９記載の電圧供給ステージにおいて、前記直流クランプ手段は、前記基準信号が前記調整済み供給電圧よりも低いことを検出したときに応答することを特徴とする電圧供給ステージ。
【請求項２１】
請求項１〜２０のいずれか１項に記載の電圧供給ステージにおいて、前記基準信号を遅延させる遅延素子がさらに設けられることを特徴とする電圧供給ステージ。
【請求項２２】
請求項４〜１８のいずれか１項に記載の電圧供給ステージにおいて、前記交流増幅器から直流成分を除去する低速直流調整手段が設けられることを特徴とする電圧供給ステージ。
【請求項２３】
請求項１〜２２のいずれか１項に記載の電圧供給ステージにおいて、前記調整手段は、複数の縦列補正回路を有することを特徴とする電圧供給ステージ。
【請求項２４】
請求項２３記載の電圧供給ステージにおいて、前記調整手段は、２以上の縦列補正回路を有することを特徴とする電圧供給ステージ。
【請求項２５】
請求項３〜２１のいずれか１項に記載の電圧供給ステージにおいて、前記信号増幅器と供給電圧制御入力との遅延差を補償する遅延素子が設けられることを特徴とする電圧供給ステージ。
【請求項２６】
ａ  増幅される入力信号及び供給電圧を受ける増幅器と、
ｂ  前記供給電圧を供給する電圧供給ステージとを有する無線周波数増幅ステージであって、
前記電圧供給ステージは、
ｉ  前記入力信号の包絡線に対応する所望の供給電圧を示す基準信号を生成する基準信号生成手段と、
ｉｉ  前記基準信号に基づいて、複数の供給電圧レベルから１つの供給電圧レベルを選択し、前記基準信号の下側をトラッキング可能な選択手段と、
ｉｉｉ  前記選択手段に選択された供給電圧を調整して調整済み供給電圧を生成し、前記選択された供給電圧レベル又は前記調整済み供給電圧レベルの一方と前記基準信号との差を増幅する交流増幅器、及び前記交流増幅器により増幅された差を前記選択された供給電圧と加算して前記調整済み供給電圧を生成する加算器を有する調整済み供給電圧生成手段と
を備えることを特徴とする無線周波数増幅ステージ。
【請求項２７】
請求項２６記載の無線周波数増幅ステージにおいて、前記選択手段は、さらに、前記基準信号の上側をトラッキング可能であることを特徴とする無線周波数増幅ステージ。
【請求項２８】
請求項２６又は２７記載の無線周波数増幅ステージにおいて、
前記調整済み供給電圧生成手段は、
さらに調整された供給電圧を生成し、
前記調整済み供給電圧又は前記さらに調整された供給電圧の一方と前記基準信号との差を増幅する無線周波数（ＲＦ）増幅器と、前記無線周波数増幅器により増幅された差を前記調整された供給電圧と加算して前記さらに調整された供給電圧を生成する加算器とを有することを特徴とする無線周波数増幅ステージ。
【請求項２９】
請求項２６〜２８のいずれか１項に記載の無線周波数増幅ステージにおいて、前記調整済み供給電圧又は前記さらに調整された供給電圧の一方が前記増幅器に対する前記供給電圧となることを特徴とする無線周波数増幅ステージ。
【請求項３０】
ａ  所望の供給電圧を示す基準信号を生成する基準信号生成ステップと、
ｂ  前記基準信号に基づいて、複数の供給電圧から１つの供給電圧を選択し、前記基準信号の下側をトラッキングする選択ステップと、
ｃ  前記選択ステップにおいて選択された供給電圧及び前記基準信号に基づいて、前記基準信号をトラッキングする調整済み供給電圧を生成する調整済み供給電圧生成ステップと
を有することを特徴とする電圧供給ステージの制御方法。
【請求項３１】
請求項３０記載の電圧供給ステージの制御方法において、前記選択ステップでは、さらに、前記基準信号の上側をトラッキングすることを特徴とする電圧供給ステージの制御方法。
【請求項３２】
請求項３０又は３１記載の電圧供給ステージの制御方法において、前記基準信号は、増幅器に対する入力信号の包絡線を示し、前記電圧供給ステージは、前記増幅器に対して電圧供給を行うことを特徴とする電圧供給ステージの制御方法。
【請求項３３】
請求項３０〜３２のいずれか１項に記載の電圧供給ステージの制御方法において、前記基準信号と、前記選択された供給電圧の代表値との差を交流増幅する交流増幅ステップを有することを特徴とする電圧供給ステージの制御方法。
【請求項３４】
請求項３３記載の電圧供給ステージの制御方法において、前記調整済み供給電圧は、前記交流増幅された差を、前記選択された供給電圧と加算することで生成されることを特徴とする電圧供給ステージの制御方法。
【請求項３５】
請求項３４記載の電圧供給ステージの制御方法において、前記基準信号と、前記調整済み供給電圧の代表値との差を無線周波数（ＲＦ）増幅することを特徴とする電圧供給ステージの制御方法。
【請求項３６】
請求項３４記載の電圧供給ステージの制御方法において、前記ＲＦ増幅された差を、前記調整済み供給電圧に加算してさらに調整された供給電圧を生成することを特徴とする電圧供給ステージの制御方法。
【請求項３７】
請求項３０〜３６のいずれか１項に記載の電圧供給ステージの制御方法において、前記調整済み供給電圧生成ステップの前に行われる補間ステップをさらに有することを特徴とする電圧供給ステージの制御方法。
【請求項３８】
請求項３３〜３７のいずれか１項に記載の電圧供給ステージの制御方法において、前記交流増幅ステップにおいて直流成分を除去する手段を使用することを特徴とする電圧供給ステージの制御方法。